(57)【要約】      （修正有）【課題】手荷物などを紐材などにより肩に掛けて持ち歩く場合に，肩を傾斜させた場合や，肩を回した時などに紐材が簡単にずり落ちてしまう欠点を解決して，容易にずり落ちることが無く，セットが簡単で多様な対象を肩に掛けて保持できる，携帯に適し，小型，軽量なショルダーロックを実現する。【解決手段】部材と部材に磁石，または一方に磁石７，他方に強磁性体４を内装し，部材は，肩の湾曲形状に添い易く，かつ腕の付け根方向への肩の下がりを補う構成とし，部材の移動を制限する規制部を有する受け部を備え，部材は，部材の受け部への重ね部を備え，着衣を挟んで部材の受け部に部材の重ね部を重ねることにより，相互の対向面ならびに規制部との間で磁力で着衣を挟み込んで確実に係止されるとともに，部材に，手荷物などを吊り下げる引っ掛け部，ならびに部材を斜めに傾けて部材から外すための構造を備える。【選択図】図１
0003139671.tif 000002
【実用新案登録請求の範囲】
【請求項１】
部材１と部材２に磁石を内装し，部材１に部材２を重ね合わせた状態で相互に吸引する方向に磁極を配置し，着衣を挟んで磁力で吸引して挟み止める肩掛け具に関して，部材１は，肩の湾曲形状に適応し易く，かつ腕の付け根方向への肩の下がりを補う構成とし，部材２の移動を制限する規制部を有する受け部を備え，部材２は，部材１の受け部への重ね部を備え，着衣を挟んで部材１の受け部に部材２の重ね部を重ねることにより，相互の対向面ならびに規制部との間で着衣を挟み込んで確実に係止されるとともに，部材２に、手荷物などを吊り下げる引っ掛け部，ならびに部材２を部材１から外すための構造を備える，携帯に適し，小型，軽量なショルダーロック。
【請求項２】
部材１と部材２の一方に磁石を，他方に強磁性体を内装した，請求項１に記載する，携帯に適し，小型，軽量なショルダーロック。
【考案の詳細な説明】
【技術分野】
【０００１】部材１と部材２に磁石，または一方に磁石，他方に強磁性体を内装し，部材１は，部材２の移動を制限する規制部を有する受け部を備え，部材２は，部材１の受け部への重ね部を備え，着衣を挟んで部材１の受け部に部材２の重ね部を重ねることにより，相互の対向面ならびに規制部との間で磁力で着衣を挟み込んで確実に係止されるとともに，部材２に，手荷物などを吊り下げる引っ掛け部，ならびに部材２を部材１から外すための構造を備える，ショルダーロック。
【背景技術】
【０００２】手荷物などを紐材により一方の肩に掛けて持ち歩く場合に，紐材が肩から簡単に外れて何度も掛けなおしたり，落ちないように手で押さえたり，身体に対して紐材を斜めに掛けたりなどの工夫をするものの，常に気になり大変煩わしい。このような欠点を解決するために，紐材の肩に当たる部分に滑り止め加工を施す方法や，手荷物を脇で挟み込んで保持する構造など種々の改善が提案されているが，何れの方法も，特に，肩を傾斜させた場合や，肩を回した時などに紐材が簡単に滑り落ちてしまう欠点を有しており，肩からの滑り落ちを防ぐ手段としては不十分である。
【考案が解決しようとする課題】
【０００３】手荷物などを紐材などにより肩に掛けて持ち歩く場合に，肩を傾斜させた場合や，肩を回した時などに紐材が簡単にずり落ちてしまう欠点を解決して，容易にずり落ちることが無く，セットが簡単で多様な対象を肩に掛けて保持できる，携帯に適し，小型，軽量なショルダーロックを実現する。
【課題を解決するための手段】
【０００４】部材１と部材２に磁石，または一方に磁石，他方に強磁性体を内装し，部材１は，肩の湾曲形状に添い易く，かつ腕の付け根方向への肩の下がりを補う構成とし，部材２の移動を制限する規制部を有する受け部を備え，部材２は，部材１の受け部への重ね部を備え，着衣を挟んで部材１の受け部に部材２の重ね部を重ねることにより，相互の対向面ならびに規制部との間で磁力で着衣を挟み込んで確実に係止されるとともに，部材２に，手荷物などを吊り下げる引っ掛け部，ならびに部材２を斜めに傾けて部材１から外すための構造を備える。
【考案の効果】
【０００５】磁力を利用して着衣に装着し，手荷物などに連結される紐材を掛けて保持する構造であるため，取り付け，取り外しが極めて簡単であり，着衣を部材１と部材２で挟むことにより，相互の対向面ならびに規制部との隙間が着衣を挟み込むことにより部材１と部材２は確実に係止されるとともに，部材１は肩の湾曲形状に添い易く，かつ腕の付け根方向への肩の下がりを補う構成とするため，肩への装着性に優れ，肩から外れ難い。また，部材２に種々の構造を形成することにより，外れ難く，多様な対象を肩に掛けて保持でき，携帯に適し，小型，軽量なショルダーロックが実現される。
【考案を実施するための最良の形態】
【０００６】図１は本考案のショルダーロックを側面から見た概念図であり，３は部材１のベース，４は強磁性体の鉄板，５は所定の高さの突起形状の規制部，６は部材２の重ね部，７は磁石，８は部材２に構成される引っ掛け部，９は着衣，１０−１は腕の付け根方を指す。部材１の規制部５の内側の受け部は部材２の重ね部６より広く形成されているため，部材１の規制部５と部材２の重ね部６との間に着衣を挟み込むことにより，着衣は部材１の上面と部材２の下面，ならびに部材１の規制部５と部材２の重ね部６の側面で挟まれ，特に，部材２の引っ掛け部８に引っ掛けられた紐体がいずれかの方向にずって部材２を移動させた場合に，部材２の重ね部の側面と部材１の規制部の間が狭まって着衣を強く挟み込むため，部材１ならびに部材２は強く着衣に係止されて移動が阻止される大きな特徴を有する。さらに，部材１の裏面は，肩の湾曲形状に添い易くするため，体の前後方向１０−２に緩やかに湾曲され，かつ，腕の付け根方向への肩の下がりを補うために，腕の付け根方向１０−１へ向けて緩やかに上り傾斜構造とされて，装着性を高め，ずり難い構成がとられている。また，部材１ならびに部材２はともに，着衣などに傷をつけないために，軟質の樹脂材やゴム材などで表面は被覆されている。【０００７】図２は部材１の概観図を示す。３は部材１のベース，（１）の５は突起形状で形成する規制部，（２）は受け部１１の窪みで形成される規制部５，１２は肩の湾曲に添い易くするための湾曲形状，１３は腕の付け根方向へ向けての緩やかに上り傾斜構造，１４は部材１と部材２の分離，脱落を防ぐための紐材または，鎖などの取り付け部，１０−１は腕の付け根方向，１０−２は体の前後方向を指す矢印である。【０００８】図３は部材２の概観図を示す。６は重ね部，８は手荷物の紐体などの引っ掛け部を示す。引っ掛け部の構造としては種々考えられ，（１）は紐体が腕の付け根方向へ向けてのズレを規制する構造，（２）はバネ構造によるロック機能付構造，（３）は重ね部６に段差を設けて，腕の付け根方向へのズリを規制する構造を示す。１４は部材１と部材２が分離，脱落を防ぐための紐材または，鎖などの取り付け部である。また部材１と部材２の磁力による吸引力はかなり強力であるため，部材２を部材１から外すためには，部材２を斜めに傾けて起こす方法が望ましいため，部材２には取り外し時に摘むための摘み部１５が設けられている。【０００９】図４は部材２に構成される引っ掛け部の別な例として，手荷物などを吊り下げる紐材を示す。ビニール帯材などの吊り下げ紐材１６，長さ調整具１７，フック状の引っ掛け部材１８などを備え，フックには手荷物，傘，ペットボトルなど多様な対象を吊り下げることが出来る。
【実施例】
【００１０】部材１は直系６ｃｍ，高さ９ｍｍの円周突起を備え，ベースは縦，横，高さを７０×６０×５ｍｍとした。内装する強磁性体は厚さ０．５ｍｍの鉄板とし，表面は軟質樹脂材で被覆して，肌や着衣を傷つけないようにした。部材２は直径５ｃｍで，３０φ×５ｍｍの円筒形のネオジム磁石を内装し，表面は軟質樹脂材で被覆した。部材１の規制部は必ずしも円周状に構成する必要は無く，矩形状でも良く，完全には連結されている必要も無く部分的に構成しても良いが，腕の付け根方向に関しては必須である。肩の湾曲形状に添い易くするための緩やかな湾曲形状は，部材１のベースサイズが小さい場合には平坦な形状でも良く，腕の付け根方向への肩の下がりを補うための上り傾斜構造に関しては，部材１の裏面で対応せず，表面の規制部，受け部において対応しても良い。【００１１】部材２を部材１から外すための構造は，摘みではなく，指掛け構造でもよいとともに，引っ掛け部などを兼用することも可能であるが，部材２を斜めに傾けて外すための構造は必要である。また部材１と部材２の分離，脱落を防ぐための紐材または，鎖などは，部材１と部材２の間を連結しても，それぞれを別々にしても良く，着衣にロックするなどが望ましい。部材１，部材２の外装素材は合成樹脂，合成ゴム，金属などの使用ならびに部分的に素材を使い分けることも可能である。さらに，各種ディメンジョンは磁石の材質，吸引力などの諸条件で変り得るとともに，本考案の請求範囲を逸脱しない範囲であれば種々変形実施が可能である。
【図面の簡単な説明】
【００１２】
【図１】  本考案のショルダーロックを側面から見た概念図を示す
【図２】  部材１の概観図を示す
【図３】  部材２の概観図を示す
【図４】  部材２の手荷物などを吊り下げる紐材を備えた引っ掛け部を示す
【符号の説明】
１  部材１                              １１  受け部
２  部材２                              １２  湾曲形状
３  部材１のベース                      １３  傾斜構造
４  強磁性体                            １４  脱落防止取り付け部
５  部材１の規制部                      １５  摘み部
６  部材２の重ね部                      １６  吊り下げ紐材
７  磁石                                １７  長さ調整具
８  部材２の引っ掛け部                  １８  フック状の引っ掛け部
９  着衣
１０−１  腕の付け根方向
１０−２  体の前後方向
【図１】
0003139671.tif 000003
【図２】
0003139671.tif 000004
【図３】
0003139671.tif 000005
【図４】
0003139671.tif 000006
【手続補正書】
【提出日】平成19年11月19日(2007.11.19)
【手続補正１】
【補正対象書類名】明細書
【補正対象項目名】００１１
【補正方法】変更
【補正の内容】
【００１１】部材２を部材１から外すための構造は，摘みではなく，指掛け構造でもよいとともに，引っ掛け部などを兼用することも可能であるが，部材２を斜めに傾けて外すための構造は必要である。また部材１と部材２の分離，脱落を防ぐための紐材または，鎖などは，部材１と部材２の間を連結しても，それぞれを別々にしても良く，着衣にロックするなどが望ましい。部材１，部材２の外装素材は合成樹脂，合成ゴム，金属などの使用ならびに部分的に素材を使い分けることも可能である。さらに，磁石による磁力が磁気カードなどに悪影響を及ぼすことを防ぐために，部材１，ならびに部材２の対抗面以外の磁性体部をパーマロイなどの磁気シールド材で覆うことは有効である。また，各種ディメンジョンは磁石の材質，吸引力などの諸条件で変り得るとともに，本考案の請求範囲を逸脱しない範囲であれば種々変形実施が可能である。